【手続補正書】
【提出日】平成29年2月10日(2017.2.10)
【手続補正１】
【補正対象書類名】特許請求の範囲
【補正対象項目名】全文
【補正方法】変更
【補正の内容】
【特許請求の範囲】
【請求項１】
インク注入口からインク組成物を補充可能なインク室を有し、前記インク室が外気と連通可能なインク容器に注入されるインク組成物であって、
顔料と、
樹脂と、
有機溶剤と、を含有し、
前記インク室を区画する壁の内側を構成する部材との静的接触角が、１０°以上である、インク組成物。
【請求項２】
請求項１において、
さらに、水を含有し、
水分蒸発前のインク組成物と、前記壁の内側を構成する部材と、の静的接触角をＣＡ０とし、
水分蒸発前のインク組成物の全質量１００質量％に対して水分が１質量％蒸発した場合のインク組成物と、前記壁の内側を構成する部材と、の静的接触角をＣＡ１とした場合に、
以下の各条件のいずれも満たす、インク組成物。
条件（１）：１０°≦ＣＡ０、かつ、１０°≦ＣＡ１
条件（２）：０°≦ＣＡ０−ＣＡ１≦５°
【請求項３】
請求項１または請求項２において、
前記インク組成物の表面張力が、２０ｍＮ／ｍ以上５０ｍＮ／ｍ以下である、インク組成物。
【請求項４】
請求項１ないし請求項３のいずれか１項において、
前記有機溶剤の含有量が、５質量％以上４０質量％以下である、インク組成物。
【請求項５】
請求項１ないし請求項４のいずれか１項において、
前記有機溶媒は、
グリセリンと、
前記グリセリン以外の多価アルコール類、含窒素複素環式化合物、尿素および尿素誘導体からなる群から選択される一種以上と、を含む、インク組成物。
【請求項６】
請求項１ないし請求項５のいずれか１項において、
前記樹脂のガラス転移温度が、２５℃以下である、インク組成物。
【請求項７】
請求項１ないし請求項６のいずれか１項において、
前記壁の内側を構成する部材との後退接触角が、５°以上である、インク組成物。
【請求項８】
請求項１ないし請求項７のいずれか１項において、
インク組成物の初期表面張力をγＭ０とし、インク中の溶剤が３．５質量％蒸発した場合の表面張力をγＭ１、インク中の溶剤が７質量％蒸発した場合の表面張力をγＭ２、インク中の溶剤が１２質量％蒸発した場合の表面張力をγＭ３とした場合に、
以下の条件（３−１）、（３−２）、（３−３）のうち２つ以上を満たす、又は、以下の条件（４−１）、（４−２）、（４−３）のいずれも満たす、インク組成物。
条件（３−１）：γＭ１−γＭ０＞０（ｍＮ／ｍ）
条件（３−２）：γＭ２−γＭ０＞０（ｍＮ／ｍ）
条件（３−３）：γＭ３−γＭ０＞０（ｍＮ／ｍ）
条件（４−１）：γＭ１−γＭ０＞−０．０５（ｍＮ／ｍ）
条件（４−２）：γＭ２−γＭ０＞−０．０５（ｍＮ／ｍ）
条件（４−３）：γＭ３−γＭ０＞−０．０５（ｍＮ／ｍ）
【請求項９】
請求項１ないし請求項８のいずれか１項において、
前記有機溶剤の含有量が、前記顔料と前記樹脂との含有量の合計に対して、１倍超過１０倍以下である、インク組成物。
【請求項１０】
請求項１ないし請求項９のいずれか１項に記載のインク組成物と、前記インク容器と、を含むセット。
【請求項１１】
記録装置に接続して用いられるインク容器であって、
請求項１ないし請求項９のいずれか１項に記載のインク組成物が収容されたインク室と、
前記インク室に前記インク組成物を注入可能なインク注入口と、を有する、インク容器。
【請求項１２】
請求項１１に記載のインク容器を備えた、記録装置。
【手続補正２】
【補正対象書類名】明細書
【補正対象項目名】０００３
【補正方法】変更
【補正の内容】
【０００３】
このようなインク容器としては、インク容器内のインク組成物が一定量以下になった場合に、インク容器自体を交換するタイプのもの（いわゆるインクカートリッジ）の他に、インク容器を交換せずに連続供給型のインク容器内にインク組成物を補充（注入）するタイプのもの（いわゆる連続供給型インク容器）が知られている。例えば、特許文献１には、連続供給型インクタンクからインク供給チューブを介してインクジェットヘッドにインクを供給するインクジェット記録装置が開示されており、当該インクタンクはインクを再充填可能な構造を有している。
【手続補正３】
【補正対象書類名】明細書
【補正対象項目名】００１０
【補正方法】変更
【補正の内容】
【００１０】
［適用例１］
本発明に係るインク組成物の一態様は、
インク注入口からインク組成物を補充可能なインク室を有し、前記インク室が外気と連通可能なインク容器に注入されるインク組成物であって、
顔料と、
樹脂と、
有機溶剤と、を含有し、
前記インク室を区画する壁の内側を構成する部材との静的接触角が、１０°以上である。
【手続補正４】
【補正対象書類名】明細書
【補正対象項目名】００１３
【補正方法】変更
【補正の内容】
【００１３】
［適用例３］
適用例１または適用例２において、
前記インク組成物の表面張力が、２０ｍＮ／ｍ以上５０ｍＮ／ｍ以下であることができる。
【手続補正５】
【補正対象書類名】明細書
【補正対象項目名】００２１
【補正方法】変更
【補正の内容】
【００２１】
［適用例１１］
本発明に係るインク容器の一態様は、
記録装置に接続して用いられるインク容器であって、
適用例１ないし適用例９のいずれか１例に記載のインク組成物が補充されたインク室と、
前記インク室に前記インク組成物を注入可能なインク注入口と、を有する。
【手続補正６】
【補正対象書類名】明細書
【補正対象項目名】００８２
【補正方法】変更
【補正の内容】
【００８２】
後退接触角の測定方法としては、次のような方法が挙げられる。自動接触角測定装置ＯＣＡＨ２００（製品名、Ｄａｔａ  Ｐｈｙｓｉｃｓ社製）を用い、２０℃の条件下で、上記「＜水分蒸発前の静的接触角ＣＡ（ＣＡ０）＞」で作成した平板状のサンプル上にインクの液滴８．５μｌを付着させ、８．５μｌ／ｓｅｃの速度で５秒間拡張させ、その後に８．５μｌ／ｓｅｃの速度で５秒間収縮時の接触角（後退接触角ＣＡＲ）を測定する。なお、測定は収縮を始めてから２．０〜２．４秒の間に０．１秒間隔で測定を行い、５点の平均値を後退接触角とする。
【手続補正７】
【補正対象書類名】明細書
【補正対象項目名】００８４
【補正方法】変更
【補正の内容】
【００８４】
また、下記式における、γＭ０、γＭ１、γＭ２、γＭ３は、それぞれ、インク溶剤分蒸発前、インク溶剤分が３．５質量％、７質量％、１２質量％蒸発後のインク組成物の表面張力を示す。「インク溶剤分蒸発後のインク組成物」とは、インク溶剤分蒸発前のインク組成物の全質量（１００質量％）に対して、インク溶剤分が所定の質量％蒸発した場合のインク組成物のことをいう。
【手続補正８】
【補正対象書類名】明細書
【補正対象項目名】０１１６
【補正方法】変更
【補正の内容】
【０１１６】
４．２．インク収容ユニットおよびインク供給管
インク収容ユニット５０は、複数のインク容器３０と、インク容器３０を収容する容器収容ケース５１を有する。インク収容ユニット５０は、記録ユニット収容ケース１０の外側に設けられる。容器収容ケース５１は、インク容器３０を保持したまま、記録ユニット収容ケース１０の側面から取り外すことができる。また、容器収容ケース５１は、開閉可能な上面ケース５４を備えている。
【手続補正９】
【補正対象書類名】明細書
【補正対象項目名】０１１７
【補正方法】変更
【補正の内容】
【０１１７】
インク収容ユニット５０は、インクジェット記録装置１を正面から（−Ｙ軸方向から＋Ｙ軸方向に）みた場合に、記録ユニット収容ケース１０の左側面に隣接して（記録ユニット収容ケース１０の−Ｘ軸方向側）に設けられている。このように、インク収容ユニット５０が記録ユニット収容ケース１０の外側に設けられることで、記録ユニット１２と一緒に収容ケース１０の内部に設けられる場合と比べて、空間的な制約が少なくなる。よって、より連続供給型のインク容器３０を設けることが可能となる。インク容器３０は、サブタンク２０に比べて多くの量のインクを収容できる。
【手続補正１０】
【補正対象書類名】明細書
【補正対象項目名】０１２０
【補正方法】変更
【補正の内容】
【０１２０】
インク容器３０は、インクの組成や色毎に複数設けられている。図１および図２の例では、上述したサブタンク２０Ｂｋ、２０Ｃｎ、２０Ｍａ、２０Ｙｗに対応して４つのインク容器３０が設けられている。本実施形態では、色毎に４つのインク容器３０が設けられているが、１つのインク容器の内部を壁で仕切ることによって、複数のインク収容部を設けるようにしても良い。インク容器３０には、インクを充填することが可能とである。以下、インク容器３０の構成について、詳細に説明する。
【手続補正１１】
【補正対象書類名】明細書
【補正対象項目名】０１２７
【補正方法】変更
【補正の内容】
【０１２７】
上面３７１には、第２の状態識別部ＬＢ２（「補充完了識別部ＬＢ２」ともいう。）が設けられている。第２の状態識別部ＬＢ２は、注入状態において、インク容器３０の内部へのインクの注入が完了した第２の状態であることを利用者に識別させるために用いられる。詳細には、第２の状態識別部ＬＢ２は、注入状態において、内部にインクが補充され、内部のインク液面が第２の高さになったことを識別するために設けられている。第２の状態識別部ＬＢ２は注入状態において水平となる直線ＬＭ２（「補充完了表示線ＬＭ２」又は「第２の状態表示線ＬＭ２」ともいう。）を含む。利用者は、インク液面が第２の状態表示線ＬＭ２の近傍に到達した場合に、インクの補充を停止する。
【手続補正１２】
【補正対象書類名】明細書
【補正対象項目名】０１４１
【補正方法】変更
【補正の内容】
【０１４１】
インク貯留室２０４のインクが記録ヘッド１７によって吸引されることで、インク貯留室２０４は所定の負圧以上となる。インク貯留室２０４が所定の負圧以上になると、インク室３４０のインクがインク供給管２４を介してインク貯留室２０４に供給される。すなわち、インク貯留室２０４には、記録ヘッド１７に流出した量のインクがインク室３４０から自動的に補充されることになる。言い換えれば、大気接触液面ＬＡと、記録ヘッド１７（詳細にはノズル）との鉛直方向の高さの差によって発生する水頭差ｄ１よりも、記録ユニット１２側からの吸引力（負圧）がある程度大きくなることで、インクがインク室３４０からインク貯留室２０４へ供給される。
【手続補正１３】
【補正対象書類名】明細書
【補正対象項目名】０１７１
【補正方法】変更
【補正の内容】
【０１７１】
図６および図７の例では、第１支持体３８２は、第１側面３７２Ａ（請求項における第１壁部に相当）の内側と、第２側面３７２Ｂの内側と、に接続されている。第１支持体３８２は、主にインク容器３０に対する第１側面３７２Ａ（フィルム３４）の接着性を向上させるために使用される。なお、第１支持体３８２は、第１側面３７２Ａの接着性を向上できるのであれば、上面３７１、側面３７２および底面３７３のいずれの位置に接続されてもよい。
【手続補正１４】
【補正対象書類名】明細書
【補正対象項目名】０１７４
【補正方法】変更
【補正の内容】
【０１７４】
インク容器３０は、使用状態において、インク室３４０の容積の５０％のインクを充填した場合に、インクと接触しない支持体を有することが好ましい。すなわち、図８に示すように、ＬＦ５０（インク室３４０の容積の５０％までインクを充填したときにおけるインクの液面の位置）を超える位置と、ＬＦ５０以下の位置に、支持体が存在する言い換えることができる。このように、ＬＦ５０の上方および下方のいずれにも支持体があることで、インク容器３０の強度を向上できる。
【手続補正１５】
【補正対象書類名】明細書
【補正対象項目名】０１８０
【補正方法】変更
【補正の内容】
【０１８０】
図９（Ｂ）は、図７のインク室３４０をＺ軸方向の下向き（鉛直方向の下向き）に見た場合における、第３支持体３８６の形状を模式的に示す図である。図９（Ｂ）に示すように、第３支持体３８６を鉛直方向の下向きに見たときに現れる面３８６ａ（斜線部分）は、第２側面３７２Ｂと接続された辺Ｌ１０を有し、面３８６ａ内において辺Ｌ１０と平行な線分（例えば、辺Ｌ００）の長さが、辺Ｌ１０の長さよりも短い形状となっている。より具体的に言えば、面３８６ａは、第２側面３７２Ｂと接続された辺Ｌ１０、第３側面３７２Ｃと接続された辺Ｌ２０、および第２側面３７２Ｂと第３側面３７２Ｃを接続する辺Ｌ３０からなる三角形である。これにより、インク容器３０の強度を保ちつつ、第３支持体３８６に付着したインクに起因する凝集物の発生を抑制できる。
【手続補正１６】
【補正対象書類名】明細書
【補正対象項目名】０２２１
【補正方法】変更
【補正の内容】
【０２２１】
６．２．析出物評価試験
上記のインク容器３０のインク室内に、上記の実験例１〜８のインク組成物を５００ｍｌ充填して、インク容器を使用状態の姿勢とした後、温度４０℃・相対湿度２０％ＲＨの条件下で２週間放置した。２週間後、インク室内のインク５００ｍｌを記録ヘッドから吐出させて、インク容器とサブタンクを接続するインク供給管内に設けられたフィルター（材質ＳＵＳ、メッシュ孔径３．５μｍ）の目詰まり状態を確認した。フィルターの目詰まり状態は、デジタルマイクロスコープＶＨＸ−９００（株式会社キーエンス社製）を用いてフィルターの表面を確認した。